(57)【要約】【課題】筐体がブラケットに確実に保持する前に、筐体とブラケットの間で予め位置決めする構造を有するスイッチ装置を提供する。【解決手段】本発明は、基部と、基部の後端に連接するテール部と、を備えるブラケットと、ブラケットの基部に実装されるスイッチと、スイッチを保護するためにブラケットに支持され開口が設けられる筐体と、スイッチの上に対応して前記開口を貫通し延出する押圧ボタンと、を含む。ブラケットのテール部と筐体との一方に突部が設けられ、ブラケットのテール部と筐体との他方に突部に係合する凹部が設けられ、ブラケットに筐体が完全に保持される前に、突部と凹部との係合によりブラケットと筐体との間で予め位置決めすることによって、ブラケットと筐体との間が確実に接合される。【選択図】図１
2012084528.tif 000002
【特許請求の範囲】
【請求項１】
基部と、前記基部の後端に連接するテール部とを備えるブラケットと、
前記ブラケットの基部に実装されるスイッチと、
前記スイッチを保護するために、前記ブラケットに支持され、開口が設けられる筐体と、
前記スイッチの上に対応して前記開口を貫通し延出する押圧ボタンと
を含むスイッチ装置において、
前記ブラケットのテール部と筐体との一方に突部が設けられ、前記ブラケットのテール部と筐体との他方に前記突部に係合する凹部が設けられ、
前記ブラケットに筐体が完全に保持される前に、前記突部と凹部との係合により前記ブラケットと筐体との間で予め位置決めされることによって、前記ブラケットと筐体との間が確実に接合されることを特徴とするスイッチ装置。
【請求項２】
ブラケットと筐体との間の接合する箇所は、前記突部と凹部との傍に配置されることを特徴とする請求項１に記載のスイッチ装置。
【請求項３】
前記ブラケットは、前記基部の一端から延出する支持部と、前記基部の他端及び前記テール部を連接する折曲部と、を含み、前記支持部と前記折曲部とが前記筐体に当接していることを特徴とする請求項１或は２に記載のスイッチ装置。
【請求項４】
前記スイッチ装置は、前記押圧ボタンとブラケットとの間を枢接する連動レバーを含むことを特徴とする請求項１から３のいずれか一項に記載のスイッチ装置。
【請求項５】
前記連動レバーは、Ｕ字形状を呈し、二つの延在アームと、二つの延在アームを連接する連接アームと、を含むことを特徴とする請求項４に記載のスイッチ装置。
【請求項６】
前記ブラケットには、前記延在アームの自由端をそれぞれ可動に支持する枢接台が設けられることを特徴とする請求項５に記載のスイッチ装置。
【請求項７】
前記押圧ボタンは、前記開口を貫通する操作部と、前記スイッチに対向する大径部と、を含み、前記大径部には前記連接アームが貫通する枢接孔が形成され、前記連接アームが前記枢接孔に回転可能に収容されることを特徴とする請求項５に記載のスイッチ装置。
【発明の詳細な説明】
【技術分野】
【０００１】
本発明は、スイッチ装置に関して、特に、スイッチ装置を予め位置決めする構造に関する。
【背景技術】
【０００２】
一般に、スイッチ装置は、スイッチが実装されたブラケットと、埃などを防止するために前記ブラケットの上方を覆う筐体と、を含む。筐体のスイッチ装置に対応する位置には、開口が設けられ、スイッチ装置の押圧ボタンが前記開口を貫通して外部に露出され、使用者が前記押圧ボタンを押して、スイッチオフまたはスイッチオンに切り替わるようにできる。
【発明の概要】
【発明が解決しようとする課題】
【０００３】
前記筐体とベースとの間は、普通に半田溶接によって連接しているが、溶接する前に、筐体とブラケットとの間に予め位置決めする構造が配置されないので、溶接する時に、筐体がブラケットに対してスライドする恐れがあって、筐体とブラケットとの位置が偏り正確な位置決めができない。
【０００４】
本発明は、このような従来技術の実情に鑑みてなされたもので、その目的は、筐体がブラケットに確実に保持される前に、筐体とブラケットの間で予め位置決めする構造を有するスイッチ装置を提供することにある。
【課題を解決するための手段】
【０００５】
本発明は、基部と、前記基部の後端に連接するテール部とを備えるブラケットと、
前記ブラケットの基部に実装されるスイッチと、
前記スイッチを保護するために、前記ブラケットに支持され、開口が設けられる筐体と、
前記スイッチの上に対応して前記開口を貫通し延出する押圧ボタンと
を含むスイッチ装置において、
前記ブラケットのテール部と筐体との一方に突部が設けられ、前記ブラケットのテール部と筐体との他方に前記突部に係合する凹部が設けられ、
前記ブラケットが筐体に完全に保持される前に、前記突部と凹部との係合により前記ブラケットと筐体との間で予め位置決めされることによって、前記ブラケットと筐体との間が確実に接合されることを特徴とする。
【発明の効果】
【０００６】
従来技術に比べ、本発明のスイッチ装置は以下の利点を有し、ブラケットが筐体を完全に保持する前に、前記突部と凹部との係合により前記ブラケットと筐体との間で予め位置決めされることによって、前記ブラケットと筐体との間が確実に接合される。
【図面の簡単な説明】
【０００７】
【図１】本発明に係るスイッチ装置の正面図である。
【図２】図１に示すスイッチ装置の側面図である。
【０００８】
以下、図１と図２を参照すると、本発明のスイッチ装置１００は、ブラケット１と、ブラケット１に実装されるスイッチ２と、ブラケット１を覆うとともに開口３１が設けられた筐体３と、開口３１を貫通して前記スイッチ２に押圧できる押圧ボタン４と、前記押圧ボタン４とブラケット１とに枢接する連動レバー５と、を含む。押圧ボタン４が押される時に、前記連動レバー５により押圧ボタン４からの力をバランスできる。
【０００９】
前記ブラケット１は、基部１１と、基部１１の一端から上向きに折曲がって延出する支持部１２と、基部１１の他端から下向きに折曲がって延出する折曲部１３と、折曲部１３から延出するテール部１４と、を含む。前記支持部１２と折曲部１３とは筐体３に当接している。前記テール部１４には突部１４１が設けられ、筐体３には突部１４１に対応する凹部３２が設けられ、突部１４１が凹部３２に係合することによりブラケット１と筐体３との間に予め位置決めを実現できる。前記テール部１４には、半田部１４２が形成され、好ましい実施状態において、前記半田部１４２は前記突部１４１の両側に配置されてもよい。
【００１０】
スイッチ２は、周辺固定接点（図示せず）上に載置されたドーム状の膨出部を有する可動接点（図示せず）と、押圧ボタン４の押圧操作で前記可動接点の膨出部が反転してその内面の接点部に当接できる中央固定接点（図示せず）と、を含み、該可動接点を介して中央固定接点と周辺固定接点との電気的導通を切り換えるスイッチ用部品である。押圧ボタン４を押圧しない場合、可動接点の自らの反転復帰力により押圧ボタン４へ付勢力を加えて押圧ボタン４の復帰を行なう。
【００１１】
前記押圧ボタン４は、スイッチ２に当接できる大径部４２と、前記筐体３の開口３１を貫通して電子設備の外部に露出される操作部４１と、を含み、操作部４１が押圧されない場合、前記大径部４２とスイッチの可動接点との間には、所定の距離が保たれる。前記大径部４２には左右方向に貫通される枢接孔４２１が形成される。
【００１２】
前記連動レバー５は、ほぼＵ字形状を呈して、平行な二つの延在アーム５１と、延在アーム５１を連接する連接アーム５２と、を含む。前記延在アーム５１の自由端５１１がブラケット１の枢接台１１１に可動に保持され、連接アーム５２は、前記押圧ボタン４の枢接孔４２１を貫通するとともに前記枢接孔４２１に回転可能に収容される。
【００１３】
ブラケット１と筐体３との間に半田付けをして保持する前に、前記ブラケット１の突部１４１と筐体３の凹部３２とが係合することによりブラケット１と筐体３との間で予め位置決めされるので、前記ブラケット１と筐体３との間が確実に接合され、半田付けすると、各部材間の確実な位置決めが保証される。
【００１４】
勿論、他の実施状態において、スイッチ装置１００は、ブラケット１の下部に配置される補強板６と、補強板６をブラケット１に保持する保持部材７と、を含んでもよい。
【００１５】
以上、本発明について最良の実施の形態を参照して詳細に説明したが、実施形態はあくまでも例示的なものであり、これらに限定されない。また上述の説明は、本発明に基づきなしうる細部の修正或は変更など、いずれも本発明の請求範囲に属するものとする。
【符号の説明】
【００１６】
１００  スイッチ装置
１  ブラケット
１１  基部
１２  支持部
１３  折曲部
１４  テール部
１４１  突部
１４２  半田部
２  スイッチ
３  筐体
３１  開口
３２  凹部
４  押圧ボタン
４１  操作部
４２  大径部
５  連動レバー
【図１】
2012084528.tif 000003
【図２】
2012084528.tif 000004